(57)【要約】【課題】  ＲＡＭチェックが、起動に要する時間に悪影響を与えない形で行われる印刷装置を、提供する。【解決手段】  印刷装置１０を、自装置の現構成に基づき、ＲＡＭの全記憶領域上に、起動時刻（ウォーミングアップの完了する時刻）を遅らせることなくチェックが完了することになる複数のチェック対象領域を仮想的に割り当てる機能（Ｓ１０２，Ｓ１０４）と、その起動時に、１つのチェック対象領域に関するＲＡＭチェックを行う機能（Ｓ１０７，Ｓ１０８）とを有する装置として構成しておく。【選択図】  図２
2005209052.tif 000002
【特許請求の範囲】
【請求項１】
ＲＡＭと、
起動時に、前記ＲＡＭの一部の記憶領域を選択し，選択した記憶領域のみをチェック対象として前記ＲＡＭのチェックを行う手段であると共に、複数回、動作することにより、前記ＲＡＭの全ての記憶領域のチェックが完了するように、チェック対象とする記憶領域を選択する手段であるＲＡＭチェック手段と
を備えることを特徴とする情報処理装置。
【請求項２】
前記ＲＡＭの前記一部の記憶領域を示すチェック対象領域情報を記憶しておくための不揮発性記憶手段を、さらに備え、
前記ＲＡＭチェック手段が、
起動時に、前記不揮発性記憶手段に記憶されたチェック対象領域情報が示す記憶領域とは異なる前記ＲＡＭの一部の記憶領域を選択し，当該記憶領域のみをチェック対象として前記ＲＡＭのチェックを行うと共に、前記不揮発性記憶手段に記憶されている前記チェック対象領域情報をチェック対象とした記憶領域を示すものに書き換える手段である
ことを特徴とする請求項１記載の情報処理装置。
【請求項３】
前記ＲＡＭチェック手段が、
前記情報処理装置が備える他の手段のウォーミングアップが完了するまでの間に、チェックが完了するサイズの記憶領域を選択する手段である
ことを特徴とする請求項１又は請求項２に記載の情報処理装置。
【請求項４】
前記ＲＡＭチェック手段が、前記ＲＡＭの前記一部の記憶領域として，チェック時に前記ＲＡＭのアドレスバスの各ビットが“１”，“０”のいずれの値もとることになる，前記ＲＡＭの記憶領域上に離散的に存在する複数の記憶領域を選択する手段である
ことを特徴とする請求項１乃至請求項３のいずれかに記載の情報処理装置。
【請求項５】
ＲＡＭの増設及び１種以上のオプション装置の装着が可能な印刷装置であって、
起動時に、前記ＲＡＭの一部の記憶領域を選択し，選択した記憶領域のみをチェック対象として前記ＲＡＭのチェックを行う手段であると共に、複数回、動作することにより、前記ＲＡＭの全ての記憶領域のチェックが完了するように、チェック対象とする記憶領域を選択する手段であるＲＡＭチェック手段と
印刷が行える状態となるまでに要する時間を前記１種以上のオプション装置の装着状況を考慮に入れて特定し、特定した時間内にチェックが完了するサイズの記憶領域を選択するように前記ＲＡＭチェック手段を制御するＲＡＭチェック手段制御手段と
を備えることを特徴とする印刷装置。
【発明の詳細な説明】
【技術分野】
【０００１】
本発明は、ＲＡＭチェック機能を有する情報処理装置及び印刷装置に、関する。
【背景技術】
【０００２】
周知のように、近年の情報処理装置は、１ＧＢ程度のＲＡＭを実装することが出来る装置であると共に、その起動時にＲＡＭチェック（メモリチェック）が行われる装置として構成されている。そして、ＲＡＭチェックには、チェックが行われるべきＲＡＭの容量に応じた時間がかかるため、大容量のＲＡＭが搭載されている情報処理装置は、その起動後、実際に使用可能な状態となるまでに、かなりの時間が必要とされる装置となっている。
【０００３】
このため、ＲＡＭチェックを行うか否かをユーザが指定できるコンピュータ（ＢＩＯＳ）や印刷装置（例えば、特許文献１参照。）が、開発されている。ただし、メモリチェックを実益のない処理だと考えているユーザが多いため、ＲＡＭチェックを行うか否かを指定可能な情報処理装置（コンピュータ、印刷装置等）は、実際上、ＲＡＭチェックが全く行われない形で運用される装置となっていた。
【特許文献１】特開平９−２０４３６９号公報
【発明の開示】
【発明が解決しようとする課題】
【０００４】
本発明は、このような現状に鑑みなされたものであり、本発明の課題は、ＲＡＭチェックが、起動に要する時間（ウォーミングアップの完了に要する時間）に悪影響を与えない形で行われる情報処理装置，印刷装置を、提供することにある。
【課題を解決するための手段】
【０００５】
上記課題を解決するために、本発明の情報処理装置は、ＲＡＭと、起動時に、ＲＡＭの一部の記憶領域を選択し，選択した記憶領域のみをチェック対象としてＲＡＭのチェックを行う手段であると共に、複数回、動作することにより、ＲＡＭの全ての記憶領域のチェックが完了するように、チェック対象とする記憶領域を選択する手段であるＲＡＭチェック手段とを、備える。
【０００６】
すなわち、本発明の情報処理装置は、起動時にＲＡＭの一部の記憶領域のチェックのみが行われる構成を、有する。従って、この情報処理装置は、起動時にＲＡＭの全ての記憶領域がチェックされる装置よりも、ＲＡＭチェックを行っていることによる起動時間の増加量が少ない装置として動作することになる。さらに、本発明の情報処理装置は、何回か起動すれば、ＲＡＭの全ての記憶領域のチェックが完了する装置ともなっている。従って、本発明の情報処理装置は、ＲＡＭに関するどのような異常も検出できる装置として機能することにもなる。
【０００７】
本発明の情報処理装置のＲＡＭチェック手段としては、チェック対象とする記憶領域を起動される度にランダムに選択する手段を採用しておいても良く、起動時に、ＲＡＭの一部の記憶領域を示すチェック対象領域情報を記憶しておくための不揮発性記憶手段に記憶されたチェック対象領域情報が示す記憶領域とは異なるＲＡＭの一部の記憶領域を選択し，当該記憶領域のみをチェック対象としてＲＡＭのチェックを行うと共に、不揮発性記憶手段に記憶されているチェック対象領域情報をチェック対象とした記憶領域を示すものに書き換える手段を採用しておいても良い。
【０００８】
また、本発明の情報処理装置のＲＡＭチェック手段を、情報処理装置が備える他の手段のウォーミングアップが完了するまでの間に、チェックが完了するサイズの記憶領域を選択する手段としておけば、ＲＡＭチェックを行っていることによる起動時間の増加が全くない情報処理装置を実現できることになる。
【０００９】
また、本発明の情報処理装置を実現する際には、ＲＡＭチェック手段として、ＲＡＭの連続した記憶領域をチェック対象とする手段を採用しておいても良い。ただし、そのようなＲＡＭチェック手段を採用した場合には、ＲＡＭのアドレスバスの何ビットかの値が固定された状態でＲＡＭチェック（ＲＡＭのチェック）が行われることになるので、ＲＡＭチェック手段を、ＲＡＭの一部の記憶領域として，チェック時にＲＡＭのアドレスバスの各ビットが“１”，“０”のいずれの値もとることになる，ＲＡＭの記憶領域上に離散的に存在する複数の記憶領域を選択する手段としておくことが、望ましい。
【００１０】
そして、本発明の印刷装置は、ＲＡＭの増設及び１種以上のオプション装置の装着が可能な印刷装置であって、起動時に、ＲＡＭの一部の記憶領域を選択し，選択した記憶領域のみをチェック対象としてＲＡＭのチェックを行う手段であると共に、複数回、動作することにより、ＲＡＭの全ての記憶領域のチェックが完了するように、チェック対象とする記憶領域を選択する手段であるＲＡＭチェック手段と、印刷が行える状態となるまでに要する時間を１種以上のオプション装置の装着状況を考慮に入れて特定し、特定した時間内にチェックが完了する限界サイズに近いサイズの記憶領域を選択するようにＲＡＭチェック手段を制御するＲＡＭチェック手段制御手段とを、備える。
【００１１】
すなわち、本発明の印刷装置は、起動時に、ＲＡＭの一部の記憶領域（起動時間が増加しないサイズのもの）のチェックのみが行われる構成であって、オプション装置の装着状況による起動時間の変化に応じて、そのチェック対象となる記憶領域のサイズが変更される（当該記憶領域が、限界サイズに近いサイズのものとされる）構成を、有する。従って、本印刷装置は、ＲＡＭチェックを行っていることによる起動時間の増加が全くない装置であると共に、起動時刻が遅れないという条件下、ＲＡＭの全ての記憶領域のチェックが最も効率的に行われる装置となっていると言うことも出来る。
【発明を実施するための最良の形態】
【００１２】
以下、本発明を実施するための最良の形態を、図面を参照して詳細に説明する。
【００１３】
図１に、本発明の一実施形態に係る印刷装置１０のハードウェア構成を、示す。
【００１４】
図示したように、本実施形態に係る印刷装置１０は、制御部１１とコントロールパネル１２と印刷機構部１３とを備えた装置である。
【００１５】
本印刷装置１０が備えるコントロールパネル１２は、ユーザとの間のインタフェース手段として印刷装置１０の筐体上に設けられているユニットである。このコントロールパネル１２は、ＬＣＤ，複数のＬＥＤ，複数の押しボタンスイッチ等から、構成されている。
【００１６】
印刷機構部１３は、制御部１１（詳細は後述）の制御下、用紙上へ印刷を行う機構である。この印刷機構部１３は、用紙上への印刷を実際に行う印刷エンジン，印刷エンジンに用紙を供給する給紙装置，印刷エンジンによる印刷が完了した用紙を印刷装置１０外に排出するための排紙装置等から、構成されている。また、この印刷機構部１３は、各種のオプションユニット（給紙装置，排紙装置，両面ユニット等）を追加できるものとなっている。
【００１７】
制御部１１は、ホストインタフェース回路１１１，ＣＰＵ１１２，ＲＡＭ１１３（実際には、３２ビットバスの，１つ或いは２つのＲＡＭモジュール），ＥＥＰＲＯＭ１１４，メモリ制御部１１５，ＲＯＭ１１６，インタフェース回路部１１７等で構成されたユニットである。この制御部１１も、インタフェース回路，ＲＡＭモジュール等のオプションユニットを追加できるものとなっている。
【００１８】
この制御部１１に用いられているホストインタフェース回路１１１は、本印刷装置１０用のドライバがインストールされたコンピュータ（図１では、“ホスト”）から送信されてくる印刷データを受信する回路である。ＲＯＭ１１６は、プログラムやフォントデータが記憶された不揮発性メモリである。ＣＰＵ１１２は、ＲＯＭ１１６に記憶されたプログラムや、ＲＯＭ１１６からＲＡＭ１１３にロードしたプログラムに従って、制御部１１内の各部を統合的に制御する制御回路である。
【００１９】
ＲＡＭ１１３は、ＣＰＵ１１２が実行するプログラムがＲＯＭ１１６からロードされるメモリであると共に、ＣＰＵ１１２（プログラム）の作業領域として用いられるメモリである。ＥＥＰＲＯＭ１１４は、構成情報，チェック対象領域数，チェック済領域ＩＤ（各情報の詳細については後述する）等を記憶しておくために制御部１１に実装されている書き換え可能な不揮発性メモリである。
【００２０】
メモリ制御部１１５は、ＣＰＵ１１２の指示に従って、ホストインタフェース回路１１１からＲＡＭ１１３にデータを転送する処理や、ＲＡＭ１１３上に作成された各１ページ分の印刷用データを印刷機構部１３内の印刷エンジンへ転送する処理などを行う回路である。インタフェース回路部１１７は、ＣＰＵ１１２が、コントロールパネル１２及び印刷機構部１３内の各種機器を制御するために利用する回路であり、ＣＰＵ１１２とコントロールパネル１２との間、ＣＰＵ１１２と印刷機構部１３との間でデータを授受するための幾つかのインタフェース回路から、構成されている。
【００２１】
そして、この制御部１１は、起動時（印刷装置１０の電源が投入されたとき）に、ＣＰＵ１１２（本発明におけるＲＡＭチェック手段，ＲＡＭチェック手段制御手段にほぼ相当）により図２に示した手順の処理が開始されるユニット（電源投入時にＣＰＵ１１２に図２に示した手順の処理を実行させるためのプログラムがＲＯＭ１１６に記憶されたユニット）となっている。
【００２２】
すなわち、印刷装置１０が起動された場合、制御部１１内のＣＰＵ１１２は、まず、ＥＥＰＲＯＭ１１４（本発明における不揮発性記憶手段に相当）から、構成情報，チェック対象領域数及びチェック済領域ＩＤを読み出す(ステップＳ１０１)。
【００２３】
チェック対象領域数及びチェック済領域ＩＤの詳細については後述するが、このステップＳ１０１の処理にてＥＥＰＲＯＭ１１４から読み出されている構成情報は、前回の停止時における印刷装置１０の構成を示す情報（印刷機構部１３に装着されたオプションユニットの種類や、制御部１１に実装されているＲＡＭ１１３の記憶容量等を示す情報）である。この構成情報は、印刷装置１０の構成が変更されたときに、その内容が更新される情報（後述するステップＳ１０７の処理にて内容更新が行われる情報）となっている。
【００２４】
構成情報等をＥＥＰＲＯＭ１１４から読み出したＣＰＵ１１２は、印刷装置１０の現構成を把握するための処理(ステップＳ１０２)を行った後に、把握した現構成が構成情報３０が示しているものと一致しているか否か（印刷装置１０の構成が変更されていないか変更されているか）を判断する(ステップＳ１０３)。
【００２５】
そして、ＣＰＵ１１２は、印刷装置１０の構成が変更されていた場合(ステップＳ１０３；ＹＥＳ)には、チェック対象領域数算出処理(ステップＳ１０４)を実行する。
【００２６】
このチェック対象領域数算出処理は、現構成の印刷装置１０のウォーミングアップの完了時刻（印刷装置１０が使用できる状態となる時刻）を遅らせることなくチェックが完了する最大記憶容量で、その時点におけるＲＡＭ１１３の全記憶容量を割った値以上の，最も小さな２n（ｎは、０以上、２以下の整数）を、チェック対象領域数として算出する処理（１，２，４のいずれかを、チェック対象領域数として算出する処理）である。
【００２７】
要するに、このチェック対象領域数算出処理は、チェック対象領域数として、その値と同数の記憶領域にＲＡＭ１１３の全記憶領域を分割すれば、分割後の各記憶領域が、現構成の印刷装置１０のウォーミングアップの完了時刻を遅らせることなくＣＰＵ１１２がそのチェックを行うことが出来るサイズのものとなる値（１、２、４のいずれか）を算出する処理となっている。
【００２８】
そして、チェック対象領域数算出処理を終えたＣＰＵ１１２は、ＲＡＭ１１３上の，チェック対象領域数と同数のチェック対象領域の中から，１つのチェック対象領域をランダムに選択する処理(ステップＳ１０５)を行う。
【００２９】
ここで、チェック対象領域とは、ＲＡＭ１１３の全記憶領域を、互いに同サイズの、チェック対象領域数と同数の部分に仮想的に分割することによって得られた記憶領域であると共に、０〜Ｍ（Ｍ＝チェック対象領域数−１）の範囲内の領域ＩＤによって識別される記憶領域のことである。すなわち、既に行ったチェック対象領域数に関する説明から明らかなように、チェック対象領域とは、現構成の印刷装置１０のウォーミングアップの完了時刻を遅らせることなくＣＰＵ１１２がそのチェックを行うことが出来るサイズの記憶領域のことである。
【００３０】
なお、このチェック対象領域を，ＲＡＭ１１３上の連続した記憶領域とすることも可能なのであるが、本実施形態に係る印刷装置１０は、チェック時にＲＡＭ１１３に関するアドレスバスの各ビットが“０”，“１”のいずれの値もとることになる，ＲＡＭ１１３の記憶領域上に離散的に存在する複数の記憶領域の集合が、チェック対象領域として取り扱われる装置として構成されている。
【００３１】
具体的には、印刷装置１０は、チェック対象領域数が“２”であった場合には、図３に模式的に示したように、ＲＡＭ１１３の、第１４ビット及び第１３ビット（再下位ビットが第１ビット）が“００”或いは“１１”となる６４ＫＢサイズの記憶領域の集合が、領域ＩＤが“０”であるチェック対象領域として取り扱われ、ＲＡＭ１１３の、第１４ビット及び第１３ビット（再下位ビットが第１ビット）が“１０”或いは“０１”となる，６４ＫＢサイズの記憶領域の集合が、領域ＩＤが“１”であるチェック対象領域と取り扱われる装置として構成されている。
【００３２】
また、印刷装置１０は、チェック対象領域数が“４”であった場合には、図４に模式的に示したように、第１５ビット〜第１３ビットが“０００”或いは“１１１”となる，６４ＫＢサイズの記憶領域の集合が、領域ＩＤが“０”であるチェック対象領域として取り扱われ、第１５ビット〜第１３ビットが“０１０”或いは“１０１”となる，６４ＫＢサイズの記憶領域の集合が、領域ＩＤが“１”であるチェック対象領域として取り扱われ、第１５ビット〜第１３ビットが“０１１”或いは“１１０”となる，６４ＫＢサイズの記憶領域の集合を、領域ＩＤが“２”であるチェック対象領域として取り扱われ、第１５ビット〜第１３ビットが“００１”或いは“１１０”となる，６４ＫＢサイズの記憶領域の集合が、領域ＩＤが“３”であるチェック対象領域として取り扱われる装置として構成されている。
【００３３】
図２に戻って、起動時におけるＣＰＵ１１２の動作の説明を続ける。
【００３４】
ステップＳ１０５の処理を終えたＣＰＵ１１２は、当該処理にて選択したチェック対象領域のみについてＲＡＭ１１３のチェックを行う(ステップＳ１０６)。より具体的には、このステップＳ１０６にて、ＣＰＵ１１２は、0xAAAA#5555のリードライトテストと0x5555#AAAAのリードライトテストとを、ＲＡＭ１１３の，チェック対象領域内の各アドレスについて行う。なお、0xAAAA#5555のリードライトテストと0x5555#AAAAのリードライトテストとが行われるようにしているのは、ＲＡＭ１１３に関する３２ビットデータバスの全てのビットの値が“１”、“０”のいずれの値もとるようにする（ＲＡＭ１１３のデータバスの正確なチェックを行えるようにする）ためである。
【００３５】
そして、ステップＳ１０６の処理を終えたＣＰＵ１１２は、ＥＥＰＲＯＭ１１４上の構成情報を、ステップＳ１０２の処理で把握した構成を表すものに変更すると共に、ＥＥＰＲＯＭ１１４上のチェック対象領域数，チェック済領域ＩＤを、それぞれ、ステップＳ１０４の処理で算出したチェック対象領域数、ステップＳ１０６の処理でチェックを行ったチェック対象領域の領域ＩＤに変更(ステップＳ１０７)してから、通常の処理（ＲＡＭ１１３を実際に利用する処理）を開始する。
【００３６】
なお、流れ図への表記は省略してあるが、ＣＰＵ１１２が、ステップＳ１０７以降の処理を実行するのは、ステップＳ１０６の処理が正常に終了した場合（ステップＳ１０６の処理にてＲＡＭ１１３に異常があることが見出されなかった場合）だけであり、ステップＳ１０６の処理にてＲＡＭ１１３に異常があることが見い出した場合、ＣＰＵ１１２は、ＲＡＭ１１３に異常があることを示すメッセージをコントロールパネル１２のＬＣＤに表示させた後に、動作を停止する。
【００３７】
ＣＰＵ１１２は、印刷装置１０の構成が変更されていた場合には、以上のような内容の処理を行う。一方、印刷装置１０の構成が変更されていなかった場合(ステップＳ１０３；ＮＯ)、ＣＰＵ１１２は、ＥＥＰＲＯＭ１１４から読み出したチェック対象領域数及びチェック済領域ＩＤで特定されるチェック対象領域の次のチェック対象領域のみについてＲＡＭ１１３のチェックを行う(ステップＳ１０８)。なお、次のチェック対象領域とは、その領域ＩＤが“チェック済領域ＩＤ＋１”（チェック済領域ＩＤ＋１＝チェック対象領域数−１の場合は、“０”）となっているチェック対象領域のことである。また、このステップＳ１０８の処理も、ステップＳ１０６の処理と同じく、0xAAAA#5555のリードライトテストと0x5555#AAAAのリードライトテストとが、ＲＡＭ１１３の，チェック対象領域内の各アドレスについて行われる処理となっている。
【００３８】
そして、ステップＳ１０８の処理を終えたＣＰＵ１１２は、ＥＥＰＲＯＭ１１４上のチェック済領域ＩＤを、チェックを行ったチェック対象領域の領域ＩＤ（“ＥＥＰＲＯＭ１１４からステップＳ１０１にて読み出したチェック済領域ＩＤ＋１”、或いは、“０”）に変更(ステップＳ１０９)してから、通常の処理を開始する。なお、ＣＰＵ１１２が、ステップＳ１０９以降の処理を実行するのも、ステップＳ１０８の処理が正常に終了した場合（ステップＳ１０６の処理にてＲＡＭ１１３に異常があることが見い出されなかった場合）だけである。
【００３９】
以上、説明したように、本実施形態に係る印刷装置１０は、その起動時、ＲＡＭ１１３の，印刷装置１０のウォーミングアップの完了時刻が遅れないサイズの記憶領域のみがチェックされる装置となっている。従って、この印刷装置１０は、起動に要する時間（ウォーミングアップが完了するまでに要する時間／印刷が可能な状態となるまでに要する時間）が、ＲＡＭチェックが行われない印刷装置と変わらない装置であるにも拘わらず、ＲＡＭ１１３の異常を起動時に検出できる装置として機能することになる。
【００４０】
また、印刷装置１０は、何回か起動するとＲＡＭ１１３の全記憶領域のチェックが完了するように構成されている。従って、印刷装置１０は、ＲＡＭ１１３に関するどのような異常（印刷装置１０が顕著な異常動作を行わないようなＲＡＭ１１３の異常）も検出できる装置として機能することにもなる。
【００４１】
さらに、印刷装置１０は、装置構成の変更による起動時間の変化に応じて、起動時にチェックを行う記憶領域のサイズを変更する（当該記憶領域のサイズが、ウォーミングアップの完了時刻が遅れない限界サイズに近いサイズとされる）構成を有する。従って、本印刷装置１０は、ウォーミングアップの完了時刻が遅れないという条件下、ＲＡＭ１１３の全ての記憶領域のチェックが最も効率的に行われる装置となっていると言うことも出来る。
【００４２】
＜変形形態＞
上記した印刷装置１０は、各種の変形を行うことが出来る。例えば、印刷装置１０が、チェック対象領域数として１、２、４のいずれかを算出する装置として構成されているのは、印刷装置１０に実装可能なＲＡＭ１１３の記憶容量の範囲と、印刷装置１０のウォーミングアップに要する時間の範囲との関係上、１、２、４以外の値がチェック対象領域数として算出されるようにしておく必要がないためであるので、１、２、４以外の値もチェック対象領域数として算出されるように、印刷装置１０を変形しても良い。また、１がチェック対象領域数として算出されることがないように、印刷装置１０を変形しても良い。
【００４３】
また、ステップＳ１０５で特定のチェック対象領域が選択されるように（ステップＳ１０５の処理が行われず、ステップＳ１０６で特定のチェック対象領域についてのＲＡＭチェック行われるように）、印刷装置１０を変形しておいても良い。また、印刷装置１０を、毎回、ランダムにチェック対象領域が選択される装置（チェック済領域ＩＤのＥＥＰＲＯＭ１１４への記憶が行われない装置）に変形したおいても良い。
【００４４】
また、１段階下のチェック対象領域数が、印刷装置１０のウォーミングアップの完了時刻を僅かに遅らせるものであった場合には、そのチェック対象領域数に基づいた動作を行うように、印刷装置１０を変形しておいても良い。
【００４５】
また、チェック対象領域の割り当て方、ＲＡＭチェック時にリードライトされるデータ等を、上記したものとはことなるものとしても良いことや、印刷装置１０で用いられている技術を利用して、ＲＡＭを備えた、印刷装置以外の情報処理装置を製造しても良い事などは、当然のことである。
【図面の簡単な説明】
【００４６】
【図１】本発明の一実施形態に係る印刷装置のハードウェア構成図。
【図２】実施形態に係る印刷装置内のＣＰＵの動作手順を示した流れ図。
【図３】チェック対象領域の構成を説明するための図。
【図４】チェック対象領域の構成を説明するための図。
【符号の説明】
【００４７】
１０  印刷装置、  １１  制御部、  １２  コントロールパネル、
１３  印刷機構部、  １１３  ＲＡＭ、  １１４  ＥＥＰＲＯＭ
【図１】
2005209052.tif 000003
【図２】
2005209052.tif 000004
【図３】
2005209052.tif 000005
【図４】
2005209052.tif 000006